【手続補正書】
【提出日】平成20年8月12日(2008.8.12)
【手続補正１】
【補正対象書類名】特許請求の範囲
【補正対象項目名】全文
【補正方法】変更
【補正の内容】
【特許請求の範囲】
【請求項１】
第１の機器と第２の機器との間でデータ転送を行う通信システムであって、
上記第１の機器と上記第２の機器との間で行われるデータ転送のセキュリティに関する設定が上記第１の機器に対して行われた場合に、当該第１の機器に設定された設定情報に従って上記第２の機器に対して設定すべき設定情報を自動的に作成する情報作成手段と、
上記情報作成手段で作成した設定情報を上記第２の機器に送信する情報送信手段と、
上記情報送信手段より送信された設定情報に従って、上記第２の機器と上記第１の機器との間で行われるデータ転送のセキュリティに関する設定を上記第２の機器に対して行う設定実行手段とを備えることを特徴とする通信システム。
【請求項２】
上記設定実行手段により行われた上記第２の機器の設定を有効にすることを上記第１の機器に通知する通知手段をさらに備えることを特徴とする請求項１記載の通信システム。
【請求項３】
上記設定実行手段により行われる上記第２の機器の設定を有効にする開始時間を上記設定情報に含み、当該開始時間に従って上記第２の機器の設定を有効にすることを特徴とする請求項１又は２記載の通信システム。
【請求項４】
第１の機器と第２の機器との間でデータ転送を行う通信システムであって、
上記第１の機器と上記第２の機器との間で行われるデータ転送のセキュリティに関する設定が上記第１の機器に対して行われた場合に、当該第１の機器に設定された設定情報に従って上記第２の機器に対して設定すべき設定情報を自動的に作成する情報作成手段と、
上記第１の機器にて、上記情報作成手段で作成した設定情報を、上記第１の機器に装着された可搬型記憶媒体に書き込む情報書き込み手段と、
上記第２の機器にて、上記可搬型記憶媒体が装着された場合に、上記可搬型記憶媒体から設定情報を読み出す情報読み出し手段と、
上記情報読み出し手段により読み出した設定情報に従って、上記第２の機器と上記第１の機器との間で行われるデータ転送のセキュリティに関する設定を上記第２の機器に対して行う設定実行手段とを備えることを特徴とする通信システム。
【請求項５】
上記情報読み出し手段により読み出した設定情報が上記第２の機器に対する設定情報であるか否かを判断する情報判断手段をさらに備え、
上記情報判断手段による判断の結果、上記情報読み出し手段により読み出した設定情報が上記第２の機器に対する設定情報であると判断された場合に、上記設定実行手段は、上記読み出した設定情報に従って、上記第２の機器と上記第１の機器との間で行われるデータ転送のセキュリティに関する設定を上記第２の機器に対して行うことを特徴とする請求項４記載の通信システム。
【請求項６】
通信装置であって、
ネットワークを介して接続された他の機器との間で行われるデータ転送のセキュリティに関する設定が上記通信装置に対して行われた場合に、当該通信装置に設定された設定情報に従って上記他の機器に対して設定すべき設定情報を自動的に作成する情報作成手段と、
上記情報作成手段で作成した設定情報を上記ネットワークを介して上記他の機器に送信する情報送信手段とを備えることを特徴とする通信装置。
【請求項７】
通信装置であって、
ネットワークを介して接続された上記通信装置との間で行われるデータ転送のセキュリティに関する設定が他の機器に対して行われた場合に、当該他の機器に設定された設定情報に従って当該他の機器により自動的に作成され送信された設定情報を受信する情報受信手段と、
上記情報受信手段で受信した設定情報に従って、上記通信装置と上記他の機器との間で行われるデータ転送のセキュリティに関する設定を上記通信装置に対して行う設定実行手段とを備えることを特徴とする通信装置。
【請求項８】
通信装置であって、
ネットワークを介して接続された他の機器との間で行われるデータ転送のセキュリティに関する設定が上記通信装置に対して行われた場合に、当該通信装置に設定された設定情報に従って上記他の機器に対して設定すべき設定情報を自動的に作成する情報作成手段と、
上記情報作成手段で作成した設定情報を上記通信装置に装着された可搬型記憶媒体に書き込む情報書き込み手段とを備えることを特徴とする通信装置。
【請求項９】
通信装置であって、
ネットワークを介して接続された上記通信装置との間で行われるデータ転送のセキュリティに関する設定が他の機器に対して行われた場合に、当該他の機器に設定された設定情報に従って当該他の機器により自動的に作成された設定情報を、上記通信装置に装着された可搬型記憶媒体から読み出す情報読み出し手段と、
上記情報読み出し手段により読み出した設定情報に従って、上記通信装置と上記他の機器との間で行われるデータ転送のセキュリティに関する設定を上記通信装置に対して行う設定実行手段とを備えることを特徴とする通信装置。
【請求項１０】
第１の機器と第２の機器との間でデータ転送を行う通信システムにおける通信方法であって、
上記第１の機器と上記第２の機器との間で行われるデータ転送のセキュリティに関する設定が上記第１の機器に対して行われた場合に、当該第１の機器に設定された設定情報に従って上記第２の機器に対して設定すべき設定情報を自動的に作成する情報作成工程と、
上記情報作成工程で作成された設定情報を上記第２の機器に送信する情報送信工程と、
上記情報送信工程で送信された設定情報を受信し、当該受信した設定情報に従って、上記第２の機器と上記第１の機器との間で行われるデータ転送のセキュリティに関する設定を上記第２の機器に対して行う設定実行工程とを有することを特徴とする通信方法。
【請求項１１】
上記第１の機器で作成された上記第２の機器に対する設定情報が上記第２の機器で受信された後、上記第２の機器からの合図が上記第１の機器で受信されたとき、当該第１の機器の設定を有効にすることを特徴とする請求項１０記載の通信方法。
【請求項１２】
上記第１の機器で作成された上記第２の機器に対する設定情報の中に、設定を有効にする開始時間を含むことを特徴とする請求項１０記載の通信方法。
【請求項１３】
上記第２の機器において設定が行われた後、当該第２の機器の電源が遮断され、再度投入された時に、当該第２の機器の設定を有効にすることを特徴とする請求項１０記載の通信方法。
【請求項１４】
上記第２の機器において設定が行われた後、当該第２機器の電源が遮断された場合と同じく作用するリセットが当該第２の機器に対して行われた後に、当該第２の機器の設定を有効にすることを特徴とする請求項１０記載の通信方法。
【請求項１５】
第１の機器と第２の機器との間でデータ転送を行う通信システムにおける通信方法であって、
上記第１の機器と上記第２の機器との間で行われるデータ転送のセキュリティに関する設定が上記第１の機器に対して行われた場合に、当該第１の機器に設定された設定情報に従って上記第２の機器に対して設定すべき設定情報を自動的に作成する情報作成工程と、
上記情報作成工程で作成された設定情報を上記第１の機器に装着された可搬型記憶媒体に書き込む情報書き込み工程と、
上記可搬型記憶媒体が上記第２の機器に装着された場合に、上記情報書き込み工程で書き込まれた設定情報を上記可搬型記憶媒体から読み出し、読み出した設定情報に従って、上記第２の機器と上記第１の機器との間で行われるデータ転送のセキュリティに関する設定を上記第２の機器に対して行う設定実行工程とを有することを特徴とする通信方法。
【請求項１６】
請求項１０〜１５の何れか１項に記載の通信方法の処理手順をコンピュータに実行させるためのプログラム。
【請求項１７】
請求項１６記載のプログラムを記録したことを特徴とするコンピュータ読み取り可能な記録媒体。
【手続補正２】
【補正対象書類名】明細書
【補正対象項目名】０００７
【補正方法】変更
【補正の内容】
【０００７】
本発明の通信システムは、第１の機器と第２の機器との間でデータ転送を行う通信システムであって、上記第１の機器と上記第２の機器との間で行われるデータ転送のセキュリティに関する設定が上記第１の機器に対して行われた場合に、当該第１の機器に設定された設定情報に従って上記第２の機器に対して設定すべき設定情報を自動的に作成する情報作成手段と、上記情報作成手段で作成した設定情報を上記第２の機器に送信する情報送信手段と、上記情報送信手段より送信された設定情報に従って、上記第２の機器と上記第１の機器との間で行われるデータ転送のセキュリティに関する設定を上記第２の機器に対して行う設定実行手段とを備えることを特徴とする。
本発明の通信システムは、第１の機器と第２の機器との間でデータ転送を行う通信システムであって、上記第１の機器と上記第２の機器との間で行われるデータ転送のセキュリティに関する設定が上記第１の機器に対して行われた場合に、当該第１の機器に設定された設定情報に従って上記第２の機器に対して設定すべき設定情報を自動的に作成する情報作成手段と、上記第１の機器にて、上記情報作成手段で作成した設定情報を、上記第１の機器に装着された可搬型記憶媒体に書き込む情報書き込み手段と、上記第２の機器にて、上記可搬型記憶媒体が装着された場合に、上記可搬型記憶媒体から設定情報を読み出す情報読み出し手段と、上記情報読み出し手段により読み出した設定情報に従って、上記第２の機器と上記第１の機器との間で行われるデータ転送のセキュリティに関する設定を上記第２の機器に対して行う設定実行手段とを備えることを特徴とする。
【手続補正３】
【補正対象書類名】明細書
【補正対象項目名】０００８
【補正方法】変更
【補正の内容】
【０００８】
本発明の通信装置は、ネットワークを介して接続された他の機器との間で行われるデータ転送のセキュリティに関する設定が上記通信装置に対して行われた場合に、当該通信装置に設定された設定情報に従って上記他の機器に対して設定すべき設定情報を自動的に作成する情報作成手段と、上記情報作成手段で作成した設定情報を上記ネットワークを介して上記他の機器に送信する情報送信手段とを備えることを特徴とする。
本発明の通信装置は、ネットワークを介して接続された上記通信装置との間で行われるデータ転送のセキュリティに関する設定が他の機器に対して行われた場合に、当該他の機器に設定された設定情報に従って当該他の機器により自動的に作成され送信された設定情報を受信する情報受信手段と、上記情報受信手段で受信した設定情報に従って、上記通信装置と上記他の機器との間で行われるデータ転送のセキュリティに関する設定を上記通信装置に対して行う設定実行手段とを備えることを特徴とする。
本発明の通信装置は、ネットワークを介して接続された他の機器との間で行われるデータ転送のセキュリティに関する設定が上記通信装置に対して行われた場合に、当該通信装置に設定された設定情報に従って上記他の機器に対して設定すべき設定情報を自動的に作成する情報作成手段と、上記情報作成手段で作成した設定情報を上記通信装置に装着された可搬型記憶媒体に書き込む情報書き込み手段とを備えることを特徴とする。
本発明の通信装置は、ネットワークを介して接続された上記通信装置との間で行われるデータ転送のセキュリティに関する設定が他の機器に対して行われた場合に、当該他の機器に設定された設定情報に従って当該他の機器により自動的に作成された設定情報を、上記通信装置に装着された可搬型記憶媒体から読み出す情報読み出し手段と、上記情報読み出し手段により読み出した設定情報に従って、上記通信装置と上記他の機器との間で行われるデータ転送のセキュリティに関する設定を上記通信装置に対して行う設定実行手段とを備えることを特徴とする。
【手続補正４】
【補正対象書類名】明細書
【補正対象項目名】０００９
【補正方法】変更
【補正の内容】
【０００９】
本発明の通信方法は、第１の機器と第２の機器との間でデータ転送を行う通信システムにおける通信方法であって、上記第１の機器と上記第２の機器との間で行われるデータ転送のセキュリティに関する設定が上記第１の機器に対して行われた場合に、当該第１の機器に設定された設定情報に従って上記第２の機器に対して設定すべき設定情報を自動的に作成する情報作成工程と、上記情報作成工程で作成された設定情報を上記第２の機器に送信する情報送信工程と、上記情報送信工程で送信された設定情報を受信し、当該受信した設定情報に従って、上記第２の機器と上記第１の機器との間で行われるデータ転送のセキュリティに関する設定を上記第２の機器に対して行う設定実行工程とを有することを特徴とする。
本発明の通信方法は、第１の機器と第２の機器との間でデータ転送を行う通信システムにおける通信方法であって、上記第１の機器と上記第２の機器との間で行われるデータ転送のセキュリティに関する設定が上記第１の機器に対して行われた場合に、当該第１の機器に設定された設定情報に従って上記第２の機器に対して設定すべき設定情報を自動的に作成する情報作成工程と、上記情報作成工程で作成された設定情報を上記第１の機器に装着された可搬型記憶媒体に書き込む情報書き込み工程と、上記可搬型記憶媒体が上記第２の機器に装着された場合に、上記情報書き込み工程で書き込まれた設定情報を上記可搬型記憶媒体から読み出し、読み出した設定情報に従って、上記第２の機器と上記第１の機器との間で行われるデータ転送のセキュリティに関する設定を上記第２の機器に対して行う設定実行工程とを有することを特徴とする。
【手続補正５】
【補正対象書類名】明細書
【補正対象項目名】００１０
【補正方法】変更
【補正の内容】
【００１０】
本発明のプログラムは、上記通信方法の処理手順をコンピュータに実行させることを特徴とする。
本発明のコンピュータ読み取り可能な記録媒体は、上記プログラムを記録したことを特徴とする。
【手続補正６】
【補正対象書類名】明細書
【補正対象項目名】００１１
【補正方法】変更
【補正の内容】
【００１１】
本発明によれば、機器間で行われるデータ転送のセキュリティに関する設定を行う場合に、一方の機器に設定を施すだけで、それに対応する他方の機器に対して設定すべき設定情報が自動的に作成され、当該設定情報に従って、機器間で行われるデータ転送のセキュリティに関する設定を他方の機器に対して行う。これにより、機器を管理する管理者又はユーザは、機器間で行われるデータ転送のセキュリティに関する設定をそれぞれの機器にて独立して設定を行う必要がなくなり、機器に対する設定を正確かつ自動的に行うことができる。したがって、管理者又はユーザの労力を軽減することができるとともに、管理者又はユーザによる設定ミスなどをも防止することが可能になる。